(57)【特許請求の範囲】
【請求項１】
門型の洗車機本体の脚体に走行輪を設け、該走行輪の駆動により洗車機本体を往復走行して車両を洗浄する門型スプレー洗車機において、ホースリールに巻回されたホースの一端をそれぞれ洗浄水、ケミカル等の圧送配管に接続した第１のホースリール、第２のホースリール、第３のホースリール、そして第４のホースリールに接続し、前記第１のホースリール及び第２のホースリール、前記第３のホースリール及び第４のホースリールはそれぞれ並列に離間して接続され、前記第１のホースリールと第２のホースリールの一方に第１のモータを接続した第１の昇降機構と前記第３のホースリールと第４のホースリールの一方に第２のモータを接続した第２の昇降機構とを洗車機本体の上部ハウジング内に設け、前記それぞれのホースリールに巻回されたホースの他端は脚体間に設けられ、下面に複数の噴射ノズルを直線上に配設されたトップ噴射ノズルに前記第１の昇降装置及び第２の昇降装置からの各ホースが対向するように接続され、前記第１のモータと第２のモータとを同方向に駆動するとトップ噴射ノズルが昇降し、前記第１のモータと第２のモータとをそれぞれ異方向に駆動するとトップ噴射ノズルが回転することを特徴とする門型スプレー洗車機。
【請求項２】
前記ホースリールはバネ等の弾性部材を介して支持されている請求項１記載の門型スプレー洗車機。
【発明の詳細な説明】
【０００１】
【発明の属する技術分野】
本発明は、門型の洗車機本体を往復走行させて、トップ噴射ノズルを昇降して車両を洗浄する門型スプレー洗車機に関するものである。
【０００２】
【従来の技術】
かかる門型スプレー洗車機は、車両の車体上面を検出するセンサーからの出力で車両の上面形状に無接触でトップ噴射ノズルを昇降させて洗浄を行っていた。
【０００３】
【発明が解決しようとする課題】
しかし、前記門型スプレー洗車機では、トップ噴射ノズルの昇降に伴い洗浄水等を圧送する配管とトップ噴射ノズルとの間のホースを繰出し巻取りするモータとは、別に昇降用のモータ及び昇降機構が必要となり構造が複雑になり、コストが嵩むという問題があった。
【０００４】
そこで本発明は、前記従来の不都合を解消し、ホースの繰出し巻取り機構とトップ噴射ノズルの昇降機構を兼用した門型スプレー洗車機を提供することを目的とする。
【０００５】
【課題を解決するための手段】
門型の洗車機本体の脚体に走行輪を設け、該走行輪の駆動により洗車機本体を往復走行して車両を洗浄する門型スプレー洗車機において、ホースリールに巻回されたホースの一端をそれぞれ洗浄水、ケミカル等の圧送配管に接続した第１のホースリール、第２のホースリール、第３のホースリール、そして第４のホースリールに接続し、前記第１のホースリール及び第２のホースリール、前記第３のホースリール及び第４のホースリールはそれぞれ並列に離間して接続され、前記第１のホースリールと第２のホースリールの一方に第１のモータを接続した第１の昇降機構と前記第３のホースリールと第４のホースリールの一方に第２のモータを接続した第２の昇降機構とを洗車機本体の上部ハウジング内に設け、前記それぞれのホースリールに巻回されたホースの他端は脚体間に設けられ、下面に複数の噴射ノズルを直線上に配設されたトップ噴射ノズルに前記第１の昇降装置及び第２の昇降装置からの各ホースが対向するように接続され、前記第１のモータと第２のモータとを同方向に駆動するとトップ噴射ノズルが昇降し、前記第１のモータと第２のモータとをそれぞれ異方向に駆動するとトップ噴射ノズルが回転するので、別途昇降機構を設ける必要が無いので構造が容易である。
【０００６】
前記各ホースリールはバネ等の弾性部材を介して支持されているので、ホースの繰出し巻取りのバランスが崩れてもホースを痛めないように吸収してくれる。
【０００７】
【発明の実施の形態】
以下、本発明の実施の形態を図面に基づいて説明する。図１に示すように洗車機本体１は門型状をしており、走行輪２に支持され一定経路を往復走行するようになっている。前記洗車機本体１の上部ハウジング３には、車両の上面を検出する例えば超音波式の車両センサー４と、昇降自在に設けた複数の噴射ノズル５’・・・を有するトップ噴射ノズル５と、脚体６の左右側部に設けた複数の噴射ノズル７’・・・を有するサイド噴射ノズル７と、駆動操作用のキーボード８とが設けられている。なお、車両の上面を検出する車両センサー４としては、発光体と受光体とより構成されるセンサーをそれぞれの脚体６に多数個設けても良い。また、トップ噴射ノズル５の外周には車両に接触した際に、車両への損傷を最小限に抑えるために噴射ノズル５’・・・より突出してラバー９が取り付けられている。
【０００８】
図２に示すように、前記洗車機本体１の上部ハウジング３に前記トップ噴射ノズル５の昇降機構が収納されており、一端を図示しない洗浄水タンク、シャンプータンク、ワックスタンクそして水あか取りタンクと連結した洗浄水配管１１，シャンプー配管１２、ワックス配管１３、そして水あか取り配管１４の端部をホースリール１５、１６、１７、１８に繰出し巻取り自在な洗浄水ホース１９、シャンプーホース２０，ワックスホース２１、そして水あか取りホース２２の端部に連結し、前記ホースリール１５、１６より構成される第１の昇降装置及びホースリール１７、１８より構成される第２の昇降装置はベルト２３、２４を介して接続し、前記ホースリール１５、１６、そしてホースリール１７、１８の一方にモータ２５、２６を連結した。前記ホースリール１５、１６、１７、１８の軸受２７はバネ等の弾性部材２８を介して固定部２９で支持されている。
【０００９】
前記第１の昇降装置である洗浄水ホース１９、シャンプーホース２０、及び第２の昇降装置であるワックスホース２１、水あか取りホース２２はそれぞれ図１、図３に示すように対向するように吊下げられ、端部は下面に設けた噴射ノズル５’・・・を下向き姿勢から前後に９０度づつ回転できるようにトップ噴射ノズル５の側方に接続され、洗浄水、シャンプー、ワックスそして水あか取り等の洗浄液の噴射を制御する噴射機構に通ずる配管に連結されている。
【００１０】
図４は門型スプレー洗車機の制御を示すブロック図であり、制御装置４１はマイクロコンピュータで構成され、中央処理部（ＣＰＵ）４２が設けられ、入出力装置（Ｉ／Ｏ）４３を介して前記キーボード８、車両センサー４、走行輪２を駆動する走行モータ３１、トップ噴射ノズル５に洗浄液を供給するトップ噴射機構３２、サイド噴射ノズルに洗浄液を供給するサイド噴射機構３３、ホースリール１５、１６、１７、１８よりホースを繰出し巻取り及びトップ噴射ノズルを回転させるモータ２５、２６が接続されている。従って前記各機器からの信号が入出力装置４３を介して中央処理部４２に入力され、また中央処理部４２からの信号が入出力装置４３を介して前記各機器に伝えられるようになっている。また、制御装置４１には、中央処理部４２の他にロム（ＲＯＭ）４４、ラム（ＲＡＭ）４５そしてクロック４６が設けられている。
【００１１】
本発明の門型スプレー洗車機の動作を図５で説明する。まず車両を洗車機本体１に対して所定位置に停止させ、キーボード８内で洗車工程を選択して開始スイッチを押圧すると、走行モータ３１が正転駆動して洗車機本体１が前進駆動され、同時にトップ噴射機構３２、サイド噴射機構３３へ駆動信号が出力されてサイド噴射ノズル７及びトップ噴射ノズル５の各噴射ノズル７’・・・及び噴射ノズル５’・・・より洗浄液が噴射される。そして車両センサー４が車両の一端を検出すると、モータ２５、２６を正転駆動させてトップ噴射ノズル５が初期位置よりＡの位置へ下降して車両上面に沿って移動する。そして傾斜するフロントガラス部を車両センサー４が検知すると、モータ２５、２６をそれぞれ異なる方向に駆動し、前記フロントガラスの傾斜に応じて噴射ノズル５’・・・を直角に近い角度に調整し、洗車機本体１の移動に応じてトップ噴射ノズル５を上昇させて車両の洗浄を行う。この様にしてルーフ、リヤガラスそしてトランク上面でトップ噴射ノズル５を昇降及び回転して洗車が行われる。この間、モータ２５、２６でホースリール１５、１６、１７、１８を繰出し巻取り時に洗浄水ホース１９、シャンプーホース２０、ワックスホース２１そして水あか取りホース２２に無理な力が加わっても軸受２７はバネ２８を介して固定部２９に支持されているので、バネ２８で吸収して洗浄水ホース１９、シャンプーホース２０、ワックスホース２１そして水あか取りホース２２を痛めることがない。その後、車両の他端を検知すると走行モータ３１が逆転駆動し、洗車機本体１が後退駆動して前記同様な洗車が行われ洗車機本体１が初期位置に戻るとトップ噴射ノズル５及びサイド噴射ノズル７より洗浄液の噴射を停止して、トップ噴射ノズル５は初期位置に戻る。
【００１２】
また、図６に示す実施例では、トップ噴射ノズル５の両端の軸５１に滑車５２を介して一端に錘５３を備えたロープ５４を取付けた例である。この実施例では、トップ噴射ノズル５の自重をホース及び錘５３で支えているので、ホース破断等でトップ噴射ノズル５が落下して車両に損傷を与える等の事故を最小限に抑えてホースの耐久性の向上に効果的である。さらに錘５３の代わりに重力バランスバネを用いることも考えられる。
【００１３】
【発明の効果】
以上説明したように本発明の門型スプレー洗車機は、ホースの繰出し巻取りとトップ噴射ノズルの昇降に必要な機器を兼用したので、構造が簡素化して設備投資に掛かる費用が安くなる。また、トップ噴射ノズルが回転して噴射ノズルが車両に対して最適な角度で車両に噴射されるので、洗浄効果が向上する。さらに、ホースに無理な力が加わってもバネによって吸収できるのでホースが痛むことがない。
【図面の簡単な説明】
【図１】本発明の門型スプレー洗車機の実施例を示す正面図である。
【図２】本発明の門型スプレー洗車機の昇降機構の説明図である。
【図３】本発明の門型スプレー洗車機のトップ噴射ノズルの動作を示す説明図である。
【図４】本発明の門型スプレー洗車機の制御を示すブロック図である。
【図５】本発明の門型スプレー洗車機の動作を示す説明図である。
【図６】本発明の門型スプレー洗車機の他の実施例を示す正面図である。
【符号の説明】
１  洗車機本体
２  走行輪
３  上部ハウジング
４  車両センサー
５  トップ噴射ノズル
５’  噴射ノズル
６  脚体
７  サイド噴射ノズル
７’  噴射ノズル
８  キーボード
９  ラバー
１１  洗浄水配管
１２  シャンプー配管
１３  ワックス配管
１４  水あか取り配管
１５  ホースリール
１６  ホースリール
１７  ホースリール
１８  ホースリール
１９  洗浄水ホース
２０  シャンプーホース
２１  ワックスホース
２２  水あか取りホース
２３  ベルト
２４  ベルト
２５  モータ
２６  モータ
２７  軸受
２８  バネ
２９  固定部
３１  走行モータ
３２  トップ噴射機構
３３  サイド噴射機構
４１  制御装置
４２  ＣＰＵ
４３  Ｉ／Ｏ
４４  ＲＯＭ
４５  ＲＡＭ
４６  クロック
５１  軸
５２  滑車
５３  錘
５４  ロープ
【図１】
0003555310.tif 000002
【図２】
0003555310.tif 000003
【図３】
0003555310.tif 000004
【図６】
0003555310.tif 000005
【図４】
0003555310.tif 000006
【図５】
0003555310.tif 000007